(57)【要約】【課題】尿の作用で発色することにより、初期の微量な尿漏れに対しても自己診断が可能な尿パッドを提供する。【解決手段】透水性素材のトップシート２と、防水性素材のバックシート３と、吸収紙４０に包まれてこれらトップシート２及びバックシート３の間に封入されたコア４とでなる。コア４は、綿状のパルプ材に、粉末状（又は顆粒状）のゼラチン澱粉と粉末状（又は顆粒状）のヨード剤とを混入したもので、尿等の液体がコア４に付着すると紫色に発色する。【選択図】図１
2005027687.tif 000002
【特許請求の範囲】
【請求項１】
透水性素材で形成されたトップシートと、
このトップシートの裏側に配された防水性素材のバックシートと、
上記トップシートとバックシートとの間に封入されたコアと
を具備する尿パッドであって、
上記コアを、吸水性部材に、上記トップシートを透過した液体の作用によって発色する発色性物質を含めた構成とした、
ことを特徴とする尿パッド。
【請求項２】
請求項１に記載の尿パッドにおいて、
上記コアは、粉末状又は顆粒状の澱粉と粉末状又は顆粒状のヨード剤とをゼラチンや吸水性ポリマーなどの吸水性部材に混入させて形成したものである、
ことを特徴とする尿パッド。
【請求項３】
請求項１に記載の尿パッドにおいて、
上記コアは、
塩化コバルトを綿状部材に塗布又は均一に混入させて形成したものである、
ことを特徴とする尿パッド。
【発明の詳細な説明】
【０００１】
【発明の属する技術分野】
この発明は、尿漏れを吸収する尿パッドに関し、特に初期の自己診断用に適した尿パッドに関するものである。
【０００２】
【従来の技術】
従来、尿パッドは、吸水性のトップシートと、防水性のバックシートと、これらトップシートとバックシートとの間に収納されたコアとを備えた構造になっている。
かかる構造により、漏れた尿をトップシートを通じてコア内に吸収して、尿漏れによる下着等の汚れを防止せんとしている。
近年、尿パッドの構造も進歩し、トップシートやコアの構造を工夫して尿の確実且つ多量な吸収を可能にしている（例えば、特許文献１，特許文献２，及び特許文献３）。
【０００３】
【特許文献１】
特開２００２−１８６６３８号公報
【特許文献２】
特開平８−２０６１５３号公報
【特許文献３】
特開平８−３８５５１号公報
【０００４】
【発明が解決しようとする課題】
上記した従来の尿パッドは、尿漏れ症状有りとの診断を受けた者や自覚症状がある者が自発的に使用することを想定しており、実際これらの者が使用する。
したがって、尿漏れが生じる可能性が低い若者が、このような尿パッドを使用することはほとんどない。
ところが、３０代後半になると、微量の尿漏れが生じることがある。微量の尿漏れであるために自覚症状がなく、しかも、カラフルな下着を着用している場合には、下着に僅かに付着した尿を視認することができない。また、視認し得ても、尿漏れであることを認めたくない心理も働く。
したがって、かかる年代の者が自分に尿漏れが始まっているのか否かを自己診断することができれば便利である。そして、かかる者が尿漏れ量を自己認識することによって、受診をするきっかけともなる。
しかしながら、上記した従来の尿パッドでは、微量の尿を吸収はするものの、使用者が尿パッド内に吸収された微量な尿を視認することができない。
【０００５】
この発明は、上述した課題を解決するためになされたもので、尿の作用で発色することにより、初期の微量な尿漏れに対しても自己診断が可能な尿パッドを提供することを目的とするものである。
【０００６】
【課題を解決するための手段】
上記課題を解決するために、請求項１の発明は、透水性素材で形成されたトップシートと、このトップシートの裏側に配された防水性素材のバックシートと、トップシートとバックシートとの間に封入されたコアとを具備する尿パッドであって、コアを、吸水性部材に、トップシートを透過した液体の作用によって発色する発色性物質を含めた構成とした。
かかる構成により、尿パッドの使用の際、微量の尿漏れが生じると、尿は、透水性素材で形成されたトップシートを透過して、このトップシートとバックシートとの間に封入された吸水性素材のコアに吸収される。すると、この微量の尿の作用によってコアに含まれた発色性物質が発色する。また、この尿の外部への漏れ出しが、トップシートの裏側の防水性素材のバックシートによって防止される。
【０００７】
ところで、コアは、発色性物質を含むものであれば、どの様なものでも良い。そこで、その一例として、請求項２の発明は、請求項１に記載の尿パッドにおいて、コアは、粉末状又は顆粒状の澱粉と粉末状又は顆粒状のヨード剤とをゼラチンや吸水性ポリマーなどの吸水性部材に混入させて形成したものである構成とした。
【０００８】
また、他の例として、請求項３の発明は、請求項１に記載の尿パッドにおいて、コアは、塩化コバルトを綿状部材に塗布又は均一に混入させて形成したものである構成とした。
【０００９】
【発明の実施の形態】
以下、この発明の実施の形態について図面を参照して説明する。
図１は、この発明の一実施形態に係る尿パッドを示す断面図であり、図２は、その平面図である。
図１に示すように、この実施形態の尿パッド１は、トップシート２とバックシート３とコア４とを備えてなり、図２に示すように、通常の生理用ナプキンと同様の形状をなす。
【００１０】
トップシート２は、透水性素材で形成されているが、肌に直接触れる部分であるので、ここでは、肌に優しい透水性素材である１００％脱脂綿を不織布状にしたものを用いている。また、このトップシート２は、下側が透けて見える程度の薄さに設定されている。
バックシート３は、トップシート２の裏側に配された防水性素材のシートである。
このバックシート３は、トップシート２を透過した尿が外部に漏れて下着等を汚すことを防止するためのものであり、ここでは、防水性素材であるポリエチレンフィルムを用いている。
このバックシート３と上記トップシート２とは、これらの周縁部３ａ，２ａにおいて密着固定され、バックシート３とトップシート２との間に、コア４用の収納部３２が画成されている。
【００１１】
コア４は、吸収紙４０に包装された状態で、上記収納部３２内に収納され、トップシート２とバックシート３との間に封入されている。
コア４はトップシート２を透過した尿を吸収するための部材であり、液体である尿の作用によって発色する発色性物質を吸収性部材に含めた構成となっている。ここでは、吸水性部材としてのゼラチンに澱粉を混合してなるゼラチン澱粉の粉末（又は顆粒）と粉末状（又は顆粒状）のヨード剤とを綿状のパルプ材と混入させたものを用いている。
【００１２】
次に、この実施形態に係る尿パッドの使用例について説明する。
図３は、尿の吸収状態を示す部分拡大断面図であり、図４は、発色状態を示す平面図である。
なお、ここでは、尿パッド１が自覚のない微量な尿漏れを自己診断するためのものであり、５ｃｃ程度の尿を吸収することができれば足りることから、尿パッド１の重さを後述する包装袋１０の重さと含めて５ｇ程度に設定しておく。
尿パッド１の使用者が微量の尿を漏らすと、図３の矢印で示すように、尿Ａがトップシート２を透過し、吸収紙４０を通じてコア４に吸収され、コア４ににじむ。
そして、この尿Ａにより、コア４に含まれている澱粉とヨード剤とが溶けて化学反応（ヨウ素澱粉反応）し、反応した部分が紫色に発色する。この結果、図４に示すように、尿Ａが付着して紫色に発色した部分Ｂを使用者がトップシート２の上から視認することができる。
このように、この実施形態の尿パッド１は、微量の尿漏れに対しても発色し、尿漏れの事実を使用者が確実に視認することができるので、初期段階の尿漏れ症状を自己診断するのに、極めて適している。
ところで、澱粉とヨード剤は汗などの液体で溶けて発色するおそれがある。しかしながら、汗は、肌に霧状に発汗し、尿のように集中的に流出するものではない。このため、肌に発生した汗は、コア４を包んだ吸収紙４０によって全て吸収されるので、コア４内に浸入して、発色させることない。
【００１３】
そして、尿漏れ量の計量は、図５に示すように、使用済みの尿パッド１をビニール製の包装袋１０内に入れて密封し、この包装袋１０を計量器２０に載置して、計量器２０の計量値を読むことで実行することができる。ここでは、計量器２０の計量値から前記「５ｇ」の数値を差し引いた値が尿漏れ量である。
また、尿漏れ量を自己計量せずに、尿パッド１が入った包装袋１０を病院で計量してもらうことで、尿漏れ量に応じた診断を受けることができる。
【００１４】
なお、この発明は、上記実施形態に限定されるものではなく、発明の要旨の範囲内において種々の変形や変更が可能である。
例えば、上記実施形態では、コア４を吸収紙４０に包装した状態で、トップシート２とバックシート３の間に封入した構成の尿パッド１を例示したが、コア４を包装せず、直接トップシート２とバックシート３の間に封入する構成の尿パッドを発明の範囲から除外する意味ではない。
また、上記実施形態では、１００％脱脂綿を不織布状にしたものをトップシートとして適用した素材で形成されたものであれば良く、これらに限定されるものではない。
同様に、バックシートについても、ポリエチレンフィルムに限定されるものではなく、防水性素材で形成したものであれば良い。
また、上記実施形態では、尿パッド１の重さを包装袋１０の重さ込みで５ｇに設定したが、尿パッド１の重さや大きさは、任意であり、状況に応じた重さや大きさに設定することができることは勿論である。
さらに、上記実施形態では、コアに含まれる発色性物質として、粉末状のゼラチン澱粉と粉末状のヨード剤とを用いたが、これに限るものではなく、コアを、塩化コバルトを綿状部材に塗布又は均一に混入させて形成しても良い。これにより、尿が塩化コバルトに付着すると、塩化コバルトが青色から赤色に変色するので、尿漏れの有無を自己判断することができる。また、この際、コアとトップシートの間に綿状シートを介設したり、コアを上記吸収紙４０で包装しておくことで、発汗による発色を防止することができる。
【００１５】
【発明の効果】
以上詳しく説明したように、この発明の尿パッドによれば、微量の尿漏れが生じると、この微量の尿の作用によってコアに含まれた発色性物質が発色するので、初期の微量な尿漏れが始まっているか否かを使用者自身で早期に自己診断することができ、この結果、使用者が尿漏れ量を認識し、受診をするきっかけとすることもできるという優れた効果がある。
【図面の簡単な説明】
【図１】この発明の一実施形態に係る尿パッドを示す断面図である。
【図２】図１の尿パッドの平面図である。
【図３】尿の吸収状態を示す部分拡大断面図である。
【図４】発色状態を示す平面図である。
【図５】尿パッドの計量状態を示す概略図である。
【符号の説明】
１…尿パッド、  ２…トップシート、  ３…バックシート、  ４…コア、  ２ａ，３ａ…周縁部、  １０…包装袋、  ２０…計量器、  ３２…収納部、  ４０…吸収紙、  Ａ…尿、  Ｂ…発色部分。
【図１】
2005027687.tif 000003
【図２】
2005027687.tif 000004
【図３】
2005027687.tif 000005
【図４】
2005027687.tif 000006
【図５】
2005027687.tif 000007